(57)【要約】【課題】ＣＤに収録された各楽曲に対し、適正に発売日情報を与えることを可能なオーディオ装置を提供すること。【解決手段】ハードディスクドライブ１に、楽曲の情報がＣＤに書き込まれた目次情報に関連づけされて構築された第１データベース２１と、第１データベース２１に含まれない既存のＣＤの発売日情報が、第１データベース２１の情報に関連付けされて構築された第２データベース２２と、が構築されており、制御手段は、ＣＤ駆動時に、まず、ＣＤの目次情報と第１データベース２１の情報との対応付けを行い、次に、ＣＤに収録された楽曲の１曲を選択し、この選択した曲について、第１データベース２１に格納された情報と、第２データベース２２に格納された、楽曲が収録されたＣＤ発売日情報との対応付けした第３データベース２３を構築する処理を、順次１曲ごとにＣＤに収録された全曲について行うようにした。【選択図】図２
2008234785.tif 000002
【特許請求の範囲】
【請求項１】
再生可能な楽曲データが保存されるとともに、この楽曲に関する情報が格納されたデータベースが構築された保存手段と、
楽曲が収録されたＣＤを駆動し、このＣＤに収録された楽曲データ、ならびにこのＣＤの情報書込領域に書き込まれていた目次情報を読取可能なＣＤ駆動手段と、
このＣＤ駆動手段で再生される前記ＣＤの楽曲データを、前記保存手段に保存する処理を実行可能な制御手段と、
を備えたオーディオ装置であって、
前記保存手段が、前記データベースとして、あらかじめ、既存のＣＤに収録された楽曲の曲名や演奏者を含む情報が、前記ＣＤに書き込まれた目次情報に関連づけされた第１のデータベースと、この第１のデータベースに含まれない情報であって少なくとも既存のＣＤの発売日情報が、前記第１のデータベースの情報に関連付けられた第２のデータベースと、を備え、
前記制御手段は、前記ＣＤの駆動時に、まず、このＣＤの目次情報と前記第１のデータベースの情報との対応付けを行い、次に、ＣＤに収録された楽曲の１曲を選択し、次に、この選択した曲について、前記第１のデータベースに格納された情報と、前記第２のデータベースに格納された、前記楽曲が収録されたＣＤの発売日情報との対応付けした第３のデータベースを構築する処理を、順次１曲ごとに前記ＣＤに収録された全曲について行うことを特徴とするオーディオ装置。
【請求項２】
前記制御手段は、前記第３のデータベースを構築した後、その楽曲情報のＣＤ発売日に基づいて、時期に応じて分けられたグループに分類することを特徴とする請求項１に記載のオーディオ装置。
【請求項３】
日付を計測する日付計測手段を備え、
前記保存手段に保存された楽曲の再生時には、前記制御手段が、まず、日付計測手段からその時点の日付を読み込み、この日付に対応したグループを選択し、この選択したグループに含まれる楽曲を自動再生する自動再生制御を実行することを特徴とする請求項２に記載のオーディオ装置。
【請求項４】
キャンセル操作手段を備え、
前記制御手段が、キャンセル操作時には、前記自動再生制御を中止することを特徴とする請求項３に記載のオーディオ装置。
【発明の詳細な説明】
【技術分野】
【０００１】
本発明は、多数の楽曲を保存するのに伴って、各楽曲に関する情報を格納したデータベースを作成するオーディオ装置に関し、特に、ＣＤ（Compact Discの略である）発売日情報を元にプレイリストを作成するオーディオ装置に用いるのに好適なものに関する。
【背景技術】
【０００２】
近年の車載オーディオとして、ハードディスクやフラッシュメモリといった大容量の記憶媒体を有しており、ＣＤなどの音源の楽曲データを、圧縮手段（例えば、ＭＰ３、ＷＭＡ、ＡＡＣ、ＡＴＲＡＣ３などの手法）を用いてデータ圧縮し記憶媒体に保存することで、膨大な曲数の楽曲データが記憶できるものが知られている。
【０００３】
そこで、このような大容量の記憶媒体に記憶された楽曲データを再生するのにあたり、全曲を順番に再生するのではなく、運転コースや走行時間あるいはユーザの嗜好などに応じて楽曲データを選択した集合体であるプレイリストをあらかじめ設定しておき、このプレイリストに従って楽曲データを再生するオーディオ装置が知られている。
【０００４】
また、プレイリストの作成の手法も種々提案されており、その１つに、ＣＤの発売日や発表年を基準としたプレイリストを作成する装置も知られている（例えば、特許文献１参照）。
【０００５】
この従来技術は、ＣＤが有しているＴＯＣ（Table of Contents）情報に基づいて、ＣＤＤＢ(Compact Disc Data Base)にアクセスし、楽曲情報を取得し、このＣＤの発売日や発表年を基準としたプレイリストを作成したり、各月にちなんだキーワードを基準としたプレイリストを作成したりすることができるようにしたものである。
したがって、利用者は、発表年が同じ楽曲を選択的に再生したり、所望の月にちなんだキーワードを含む楽曲を選択的に再生したりすることができる。すなわち、ユーザは、７０年代ミュージック、８０年代ミュージックなどのように、共通の年代の楽曲を好む傾向があり、上記従来技術では、このような年代別に分けたプレイリストを、自動的に作成することができる。
【特許文献１】特開２００５−４４３９１号公報参照
【発明の開示】
【発明が解決しようとする課題】
【０００６】
本願発明者は、ユーザの楽曲再生の嗜好の一つとして、季節に応じて楽曲を選択する傾向にあることに着目した。また、ＣＤの発売も、冬に関係する楽曲を主体としたものを冬に発売したり、海や夏に関係する楽曲を夏に発売したりするように、季節に応じて発売されるケースがあることにも着目した。
【０００７】
上述の従来技術では、上記のように年代別のプレイリストを作成する他にも、月別や季節別のプレイリストを作成することについても記載されている。
【０００８】
しかしながら、上述の従来技術では、ＣＤの目次情報（ＴＯＣ情報）に基づいて、月別や季節別というような年間の時期に応じたプレイリストを作成した場合に、以下に述べる問題点があった。
すなわち、ＣＤの目次情報に対応付けされたデータベース（ＣＤＤＢ）として、Ｇｒａｃｅｎｏｔｅ社のデータベースがよく知られているが、このデータベースにはＣＤ製作年しか含まれておらず、実際には、年代別のプレイリストの作成はできても、曲ごとに季節に応じた仕分けができなかった。このため、月別や季節別のプレイリストを作成する場合、従来技術に記載のように、タイトルなどのキーワード検索などが必要で、処理が複雑になっていた。
また、ＣＤには、いわゆるベストアルバムのように、過去に発表された楽曲を集めたＣＤが存在する。このようなＣＤでは、例えば、冬に発表された曲や夏に発表された曲などのように発売日が異なる楽曲が収録されている。そこで、仮に、データベースにＣＤの発売日情報が含まれているとしても、このようなＣＤでプレイリストを作成する場合、ＣＤの目次情報に基づいてＣＤの発売日を取得すると、そのベストアルバムの発売日が取得され、つまり、各楽曲の実際の発売日と異なる発売日が取得され、適正なプレイリストを作成することができないおそれがあった。
【０００９】
本発明は、上述の問題点に着目してなされたもので、ＣＤに収録された各楽曲に対し、適正に発売日情報を与えることを可能とするオーディオ装置を提供することを目的としている。
【課題を解決するための手段】
【００１０】
上述の目的を達成するために本発明は、再生可能な楽曲データが保存されるとともに、この楽曲に関する情報が格納されたデータベースが構築された保存手段と、楽曲が収録されたＣＤを駆動し、このＣＤに収録された楽曲データ、ならびにこのＣＤの情報書込領域に書き込まれていた目次情報を読取可能なＣＤ駆動手段と、このＣＤ駆動手段で再生される前記ＣＤの楽曲データを、前記保存手段に保存する処理を実行可能な制御手段と、を備えたオーディオ装置であって、前記保存手段が、前記データベースとして、あらかじめ、既存のＣＤに収録された楽曲の曲名や演奏者を含む情報が、前記ＣＤに書き込まれた目次情報に関連づけされた第１のデータベースと、この第１のデータベースに含まれない情報であって少なくとも既存のＣＤの発売日情報が、前記第１のデータベースの情報に関連付けられた第２のデータベースと、を備え、前記制御手段は、前記ＣＤの駆動時に、まず、このＣＤの目次情報と前記第１のデータベースの情報との対応付けを行い、次に、ＣＤに収録された楽曲の１曲を選択し、次に、この選択した曲について、前記第１のデータベースに格納された情報と、前記第２のデータベースに格納された、前記楽曲が収録されたＣＤの発売日情報との対応付けした第３のデータベースを構築する処理を、順次１曲ごとに前記ＣＤに収録された全曲について行うことを特徴とするオーディオ装置とした。
【００１１】
また、請求項２に記載の発明は、請求項１に記載のオーディオ装置において、前記制御手段が、前記第３のデータベースを構築した後、その楽曲情報のＣＤ発売日に基づいて、時期に応じて分けられたグループに分類することを特徴とするオーディオ装置とした。
請求項３に記載の発明は、請求項２に記載のオーディオ装置において、日付を計測する日付計測手段を備え、前記保存手段に保存された楽曲の再生時には、前記制御手段が、まず、日付計測手段からその時点の日付を読み込み、この日付に対応したグループを選択し、この選択したグループに含まれる楽曲を自動再生する自動再生制御を実行することを特徴とするオーディオ装置とした。
【００１２】
請求項４に記載の発明は、請求項３に記載のオーディオ装置において、キャンセル操作手段を備え、前記制御手段が、キャンセル操作時には、前記自動再生制御を中止することを特徴とするオーディオ装置とした。
【発明の効果】
【００１３】
本発明では、ＣＤに収録された楽曲をＨＤＤなどの保存手段に保存する場合、まず、制御手段は、第３のデータベースを構築する処理を実行する。
この場合、まず、ＣＤの目次情報（ＴＯＣ情報）に基づいて、第１のデータベース（ＣＤＤＢ）を参照し、目次情報に、各曲の曲名、アーティスト名などの対応付けを行う。なお、このような第１のデータベースとしては、例えば、Ｇｒａｃｅｎｏｔｅ株式会社からインターネットを介して配信されるデータベースが知られており、アーティスト名や曲名や制作年度などの情報が含まれている。
【００１４】
次に、ＣＤに収録された曲の中の１曲を選択し、第１のデータベースで得られた曲名やアーティスト名などに基づいて、この第１のデータベースの関連データベースとしての第２のデータベースにより、ＣＤ発売日の対応付けを行う。この場合、ＣＤの目次情報にＣＤ発売日を対応付けするのではなく、第１のデータベースで得られた曲名を含む情報にＣＤ発売日の対応付けを行うため、ＣＤ駆動手段で駆動されているＣＤの発売日ではなく、選択した楽曲が最初に収録されたＣＤの発売日情報が対応付けされる。この第２のデータベースも、インターネットを介して配信されるデータベースを用いることができ、第１のデータベースに含まれない情報、すなわち、少なくともＣＤの発売日に関する情報が含まれている。
【００１５】
このようにして、ＣＤの楽曲の中から選択した１曲の楽曲に対してＣＤ発売日を対応付けして第３のデータベースを作成する。
【００１６】
さらに、選択した楽曲について第３のデータベースを作成したら、ＣＤの他の楽曲を選択して、上述の処理を行って、次に選択した楽曲についてＣＤ発売日を対応付けした第３のデータベースを作成する。
以上の処理を、ＣＤに収録された全曲について、順次１曲ごとに行う。
【００１７】
以上のように、本発明では、ＣＤに収録された楽曲について、１曲ごとに、ＣＤ発売日の対応付けを行うとともに、このとき、ＣＤ発売日を、ＣＤの目次情報ではなく、目次情報に対応付けした曲名などの情報に対応付けするようにしたため、ベストアルバムのように、ＣＤ発売日が異なる楽曲が複数収録されたＣＤから楽曲の録音を行う場合でも、１曲ごとにその曲の適正な発売日が対応付けされる。
したがって、第３のデータベースに基づいてプレイリストを作成する際に、誤ったＣＤ発売日に基づいたプレイリストが作成されるのを防止して、適正なプレイリストを作成することが可能となる。
【００１８】
加えて、１曲ごとに適正なＣＤ発売日の対応付けが行われることから、季節や月別などの年間の時期に応じたプレイリストを、複雑なキーワード検索無しに作成することが可能となる。
【００１９】
また、請求項２に記載の発明では、第３のデータベースに格納されたＣＤ発売日に基づいて、時期（例えば、月や季節）に応じて分けられたグループに分類する。
この分類は、上記のように、ＣＤの目次情報に基づくＣＤ発売日ではなく、１曲ごとにその楽曲のＣＤ発売日に基づいて行われるため、適正に分類することができる。
【００２０】
請求項３に記載の発明では、保存手段に格納された楽曲の再生時には、日付計測手段から、その時点の日付を読み込み、この日付に対応するグループを選択し、このグループに含まれる楽曲を自動再生する。
このように、再生時には、その時点の時期に応じた楽曲の再生が実行され、しかも、このグループ分けは、上記のように楽曲のＣＤ発売日に適正に対応しており、違和感無く時期に応じた自動再生が実行される。
【００２１】
請求項４に記載の発明では、制御手段は、キャンセル操作手段が操作された時には、上記自動再生を中止する。
このように、自動再生を必要に応じてキャンセルできるため、使い勝手が向上する。
【発明を実施するための最良の形態】
【００２２】
以下、本発明のオーディオ装置の実施の形態を説明する。
この実施の形態のオーディオ装置は、再生可能な楽曲データが保存されるとともに、この楽曲に関する情報が格納されたデータベースが構築された保存手段（１）と、楽曲が収録されたＣＤ（１１）を駆動し、このＣＤ（１１）に収録された楽曲データ、ならびにこのＣＤの情報書込領域に書き込まれていた目次情報を読取可能なＣＤ駆動手段（９）と、このＣＤ駆動手段（９）で再生されるＣＤ（１１）の楽曲データを、前記保存手段（１）に保存する処理を実行可能な制御手段（５）と、を備えたオーディオ装置であって、前記保存手段（１）が、前記データベースとして、あらかじめ、既存のＣＤに収録された楽曲の曲名や演奏者を含む情報が、前記ＣＤに書き込まれた目次情報に関連付けされた第１のデータベース（２１）と、この第１のデータベース（２１）に含まれない情報であって少なくとも既存のＣＤの発売日情報が、前記第１のデータベース（２１）の情報に関連付けられた第２のデータベース（２２）と、を備え、前記制御手段（５）は、前記ＣＤ（１１）の駆動時に、まず、このＣＤ（１１）の目次情報と前記第１のデータベース（２１）の情報との対応付けを行い、次に、ＣＤ（１１）に収録された楽曲の１曲を選択し、次に、この選択した曲について、前記第１のデータベース（２１）に格納された情報と、前記第２のデータベース（２２）に格納された、前記楽曲が収録されたＣＤの発売日情報との対応付けした第３のデータベース（２３）を構築する処理を、順次１曲ごとに前記ＣＤに収録された全曲について行うことを特徴とするオーディオ装置である。
【実施例１】
【００２３】
図１〜図４に基づいて本発明の最良の実施の形態として車両に搭載した実施例１のオーディオ装置Ａについて説明する。
【００２４】
まず、実施例１のオーディオ装置Ａの構成を説明する。
この実施例１のオーディオ装置Ａは、図１に示すように、保存手段としてのハードディスクドライブ１、ユーザインタフェース２、日付計測手段としての時計３、ディスプレイ装置４、制御手段としてのＣＰＵ（Central Processing Unit）５、アンプ６、スピーカ７、メモリ８、ＣＤ（Compact Discの略である）ドライブ（ＣＤ駆動手段）９、メディアスロット１０を備えている。
【００２５】
ハードディスクドライブ１は、情報の記録および読み出しを行う記憶装置であって、ユーザがＣＤドライブ９に差し込んだＣＤ１１に記録された楽曲データを圧縮、もしくは、データの移動という形で、保存可能に構成されている。
また、このハードディスクドライブ１の内部には、後述する第１のデータベース、第２のデータベース、第３のデータベースが構築されている。
【００２６】
ユーザインタフェース２は、使用者とのインタフェースを果たす役割を持っており、本実施例１では、ディスプレイ装置４に与えられたタッチパネル機能で構成され、ユーザへの視覚情報の提示とユーザの選択とを実行可能としている。
タッチパネル機能としては、具体的には、再生ボタンや音量調節ボタンなどの一般的な操作ボタンが表示されるが、これらに加え、本実施例１では、後述する季節に別に分類されたグループを示す季節別のボタン並びにキャンセルボタンが表示される。
【００２７】
時計３は、現在の時刻データを得るためのもので、年、月、日もカウントしている。
ディスプレイ装置４は、画像表示装置であって、液晶パネルが用いられている。
【００２８】
ＣＰＵ５は、メモリ８に記憶されたプログラムを実行して、各構成の作動を制御する装置である。
アンプ６およびスピーカ７は、楽曲の再生装置に相当する。
【００２９】
ＣＤドライブ９は、挿入されたＣＤ１１を駆動し、ＣＤ１１に保存された楽曲データを再生することができる情報に変換する機能を有している。
【００３０】
メディアスロット１０は、ＳＤメモリカードやメモリースティック、あるいはＵＳＢ（Universal Serial Bus）による接続が可能な携帯オーディオなどの外部記憶媒体１３をオーディオ装置Ａに着脱する部分である。
【００３１】
次に、ハードディスクドライブ１が備えている第１データベース２１、第２データベース２２、第３データベース２３について、図２に基づいて説明する。
【００３２】
第１データベース２１は、ＣＤ１１が有しているＴＯＣ（Table of contents）情報に関連付けられて、ＣＤ１１に関する情報が格納されたいわゆるＣＤＤＢ（Compact Disc DataBase）と呼ばれるデータベースであって、具体的には、そのＣＤ１１の、ＣＤタイトル名、ＣＤ１１に収録された曲名、アーティスト名（演奏者）、製作年度などの情報が格納されており、具体的には、Gracenote株式会社がネット上で配信しているＣＤＤＢを用いているものとする。ちなみに、図２では、この第１データベース２１に格納されている１曲分の情報を概念的に示している。
【００３３】
なお、ＴＯＣ情報は、録音したＣＤの最内周部分の情報書き込み領域に書き込まれた楽曲目次情報のことで、ＣＤの総曲数、時間などが記録されている。
【００３４】
第２データベース２２は、第１データベース２１のリレーショナルデータベース（関係データベース）として存在している。すなわち、第２データベース２２には、第１データベース２１に格納された情報に関連付けして、この第１データベース２１が有していない情報が格納されており、この情報には、少なくとも、ＣＤ１１の発売日が含まれている。具体的には、この第２データベース２２は、ネット上でメタサービスとして配信されたＣＤＤＢが格納されている。なお、図２では、第１データベース２１と同様に、この第２データベース２２に格納された１曲分のデータを概念的に示している。
【００３５】
上述のように、第１データベース２１には、ＴＯＣ情報に関連付けされた情報が格納されており、第２データベース２２には、第１データベース２１の情報に関連付けされた情報が格納されている。そして、第１データベース２１および第２データベース２２は、それぞれ、ネットワークを介して得られるデータベースであり、これらは、あらかじめハードディスクドライブ１内に構築されている。また、必要に応じて、図１に示すように、コンピュータネットワーク１４に接続されたパーソナルコンピュータ１２を用いて、最新のものを外部記憶媒体１３にダウンロードし、これをメディアスロット１０に接続して更新することができる。
【００３６】
図２に戻り、第３データベース２３は、ＣＰＵ５による後述するデータベース構築処理により構築されるデータベースであり、これを簡単に説明すると、ＣＤ１１が有するＴＯＣ情報と第１データベース２１との関連付けと、第１データベース２１と第２データベース２２との関連付けとを経て、ＣＤ１１に収録された各楽曲に関する情報に、ＣＤ発売日情報を対応付けして構築されたものである。
【００３７】
さらに、ハードディスクドライブ１には、季節ごとに分類したプレイリストである、春グループプレイリスト３１、夏グループプレイリスト３２、秋グループプレイリスト３３、冬グループプレイリスト３４が格納されている。
【００３８】
次に、上述した第３データベース２３の構築処理ならびにプレイリスト３１〜３４の分類処理の流れについて、図３のフローチャートに基づいて説明する。
【００３９】
このフローチャートに示す処理は、ＣＤ１１をＣＤドライブ９に差し込むことで開始される。
ステップＳ１〜Ｓ５の処理により、第３のデータベース２３が構築される。
この構築処理において、まず、ステップＳ１では、ＣＤ１１が有しているＴＯＣ情報を取得し、曲目リストを作成する。
【００４０】
次のステップＳ２では、第１データベース２１を参照し、ＣＤ１１に収録されている各曲に、それぞれＣＤタイトル名、曲名、アーティスト名などの情報の対応付けを行う。
【００４１】
次のステップＳ３では、ステップＳ２において対応付けを行った複数の楽曲から、まず、１曲目を選択する。なお、この１曲目とは、ＣＤ１１に収録された楽曲の、再生順が１番目の曲のことである。
【００４２】
次のステップＳ４では、選択された曲について、第２データベース２２を参照してＣＤ発売日の対応付けを行う。すなわち、ステップＳ２において、ＴＯＣ情報に対応付けされた第１データベース（ＣＤＤＢ）２１の情報に基づいて、その関連データベースである第２データベース２２が有しているＣＤ発売日の情報の関連付けを行う。
【００４３】
このＣＤ発売日の関連付けにおいて、ＣＤ１１に対する関連付けではなく、楽曲に対して関連付けを行っているため、その楽曲が最初に収録されたＣＤの発売日が得られる。したがって、例えば、ＣＤ１１が、ベストアルバムのように過去に発表された楽曲のみが収録されたＣＤであっても、楽曲に関連付けられるＣＤ発売日は、このＣＤ１１の発売日ではなく、その楽曲が最初に収録されたＣＤの発売日が対応付けられる。
【００４４】
次のステップＳ５では、ＣＤ発売日が対応付けされた情報に基づいて、第３データベース２３を作成する。
以上の処理で、第３データベース２３が構築される。
【００４５】
次に、ステップＳ６〜Ｓ１３の処理により、第３データベース２３に格納された楽曲の各プレイリスト３１，３２，３３，３４への分類を行う。
【００４６】
まず、ステップＳ６では、ＣＤ発売日が春であるか否か、具体的には、３，４，５月のいずれかであるか判定し、これに該当すれば、この楽曲の情報をステップＳ７に進み、春グループプレイリスト３１へ分類する。
【００４７】
また、ステップＳ６において、ＣＤ発売日が春でない場合には、ステップＳ８に進んで、発売日が夏であるか、具体的には、６，７，８月のいずれかであるか判定し、これに該当すれば、ステップＳ９に進んで、この楽曲の情報を夏グループプレイリスト３２へ分類する。
【００４８】
また、ステップＳ８において、ＣＤ発売日が夏でない場合には、ステップＳ１０に進んで、発売日が秋であるか、具体的には、９，１０，１１月のいずれかであるか判定し、これに該当すれば、ステップＳ１１に進んで、この楽曲の情報を秋グループプレイリスト３３へ分類する。
【００４９】
また、ステップＳ１０において、ＣＤ発売日が秋でない場合には、ステップＳ１２に進んで、この楽曲の情報を冬グループプレイリスト３４へ分類する。
【００５０】
そして、ステップＳ７，Ｓ９，Ｓ１１，Ｓ１２のいずれかの処理を行った後に、ステップＳ１３に進んで、選択された楽曲を、ハードディスクドライブ１に収録する。
【００５１】
次のステップＳ１４では、ＣＤ１１からハードディスクドライブ１への収録が全て終わったかどうか判定し、未収録の曲が存在する場合、ステップＳ１５において、次の曲の選択を行った後、ステップＳ４に進んで、その楽曲について、上述のステップＳ４からの処理を繰り返し、一方、全ての楽曲の収録が終わっていれば、以上の処理を終了する。
【００５２】
次に、図４に示す再生処理の流れについて説明する。
この再生処理は、ユーザインタフェース２を介して、ユーザが再生を選択することで実行が開始される。
【００５３】
そして、まず、ステップＳ２１では、時計３からの入力に基づいて現在の日付情報を取得する。
【００５４】
次のステップＳ２２では、現在の日付が春であるか、具体的には、３，４，５月のいずれかであるか判定し、いずれかの月であればステップＳ２３に進んで、春グループプレイリスト３１を選択する。
【００５５】
また、ステップＳ２２において、３，４，５月のいずれでもない場合は、ステップＳ２４に進んで、現在の日付が夏であるか、具体的には、６，７，８月のいずれかであるか判定し、そのいずれかであれば、ステップＳ２５に進んで、夏グループプレイリスト３２を選択する。
【００５６】
また、ステップＳ２４において、６，７，８月のいずれでもない場合は、ステップＳ２６に進んで、現在の日付が秋であるか、具体的には、９，１０，１１月のいずれかであるか判定し、そのいずれかであれば、ステップＳ２７に進んで、秋グループプレイリスト３３を選択する。
【００５７】
また、ステップＳ２６において、９，１０，１１月のいずれでもない場合には、ステップＳ２８に進んで、冬グループプレイリスト３４を選択する。
【００５８】
次のステップＳ２９では、ディスプレイ装置４の操作パネルにおいてキャンセル操作が成されたか否か判定し、キャンセル操作が成されなかった場合には、ステップＳ３０に進んで、各プレイリスト３１〜３４のうちで、ステップＳ２３，２５，２７，２８で選択されたものに格納された楽曲のランダム再生を行う自動再生処理を実行する。
【００５９】
一方、ステップＳ２９でキャンセル操作が成されていた場合には、ステップＳ３１に進んで、手動操作に基づく再生を行う。この手動操作に基づく再生とは、ディスプレイ装置４に表示された操作パネルにより、例えば、１曲１曲を手動で選択して再生したり、各プレイリスト３１〜３４のうちで、手動により選択されたもののみを再生したり、手動で選択した年や月がＣＤ発売日に相当するものを、第３データベース２３に格納された情報に基づいて選択して再生したりすることなどがある。
【００６０】
以上説明したように、実施例１では、ＣＤ１１のＴＯＣ情報と第１データベース２１との関連付けを行い、さらに、第１データベース２１の楽曲情報と第２データベース２２のＣＤ発売日情報の関連付けを行い、ＣＤ１１に収録された楽曲の１曲１曲に、ＣＤ発売日情報を関連付けした第３データベース２３を構築するようにした。
【００６１】
このため、ＣＤ１１が、ベストアルバムのように、過去に発売された楽曲を収録したＣＤであっても、ＴＯＣ情報にＣＤ発売日を関連付けたもののように、このベストアルバムの発売日が関連付けられる不具合が生じることなく、楽曲ごとに、その楽曲が発表されたＣＤの発売日が適正に関連付けられた第３データベース２３を構築することが可能となった。
したがって、この第３データベース２３に基づいて分類された各プレイリスト３１〜３４では、その分類が的確になり、各プレイリスト３１〜３４を適正に作成することが可能となる。
【００６２】
加えて、第３データベース２３において、１曲ごとに適正なＣＤ発売日の対応付けが行われることから、季節に応じた各プレイリスト３１〜３４を、キーワード検索などの複雑な検索を用いること無しに、正確かつ容易に作成することが可能となる。
【００６３】
さらに、実施例１では、再生作動を選択するだけで、各プレイリスト３１〜３４のうちで、その時点の日付に応じた季節のプレイリストを選択し、この選択されたプレイリストに従って自動再生が実行される。
したがって、ユーザの楽曲再生の嗜好の一つである季節に応じた楽曲の再生を自動的に違和感なく実行することができる。
【００６４】
また、この自動再生は、ユーザは、キャンセル操作を行うことで、中止可能であり、使い勝手に優れる。
【００６５】
以上、図面を参照して、本発明の実施の形態の実施例１を詳述してきたが、具体的な構成は、この実施例１に限らず、本発明の要旨を逸脱しない程度の設計的変更は、本発明に含まれる。
【００６６】
すなわち、実施例１では、オーディオ装置として、車載のオーディオ装置を示したが、これに限定されず、携帯式のオーディオ装置にも適用することができる。
【００６７】
また、実施例１では、保存手段としてハードディスクドライブ１を示したが、これ以外の記憶媒体を用いることもできる。
【００６８】
また、実施例１では、楽曲情報により季節ごとのプレイリストを作成する例を示したが、この分類する時期は、季節に限らず、例えば、月ごとなどこれとは異なる範囲に分けることができるほか、季節の分類に加えて、クリスマスやバレンタインなど、特定の日にちに分類するようにしてもよく、さらに、この特定日を、ユーザが任意に設定可能として、自身の誕生日にちなんだ曲などに分類可能としてもよい。
【図面の簡単な説明】
【００６９】
【図１】本発明の実施の形態の実施例１のオーディオ装置Ａの構成を示すブロック図である。
【図２】実施例１のオーディオ装置Ａにおいて、保存手段としてのハードディスクドライブ１の各データベース２１，２２，２３および各プレイリスト３１，３２，３３，３４の関係の概略を示す説明図である。
【図３】実施例１のオーディオ装置ＡにおけるＣＤ駆動時における処理の流れを示すフローチャートである。
【図４】実施例１のオーディオ装置Ａにおける自動再生時の処理の流れを示すフローチャートである。
【符号の説明】
【００７０】
１     ハードディスクドライブ（保存手段）
３     時計（日付計測手段）
４     ディスプレイ装置（操作手段）
５      ＣＰＵ（制御手段）
９     ＣＤドライブ（ＣＤ駆動手段）
１４   コンピュータネットワーク
２１   第１データベース
２２   第２データベース
２３   第３データベース
３１   春グループプレイリスト
３２   夏グループプレイリスト
３３   秋グループプレイリスト
３４   冬グループプレイリスト
Ａ     オーディオ装置
【図１】
2008234785.tif 000003
【図２】
2008234785.tif 000004
【図３】
2008234785.tif 000005
【図４】
2008234785.tif 000006